(57)【要約】【課題】ラップフィルムを引き出す操作に注意力を要さない容器を提供する。【解決手段】ロール状に巻かれているラップフィルムＲを収容しておく容器であり、ロール状に巻かれているラップフィルムを収容する箱本体１２と、ロール状に巻かれているラップフィルムの上面の少なくとも一部を覆う上壁２２を備えており、上壁２２、前壁６、および上壁と前壁の境界のうちの１箇所に、ロール状に巻かれているラップフィルムから引き出されたラップフィルムの少なくとも左右両端部が通過するスリット２４が形成されている。スリット２４を通過するためにラップフィルムの引き出し位置が安定する。【選択図】図１
2011235919.tif 000002
【特許請求の範囲】
【請求項１】
ロール状に巻かれているラップフィルムを収容しておく容器であり、
背壁と底壁と前壁と左側壁と右側壁を備えており、ロール状に巻かれているラップフィルムを収容する箱本体と、
ロール状に巻かれているラップフィルムの上面の少なくとも一部を覆う上壁を備えており、
上壁、前壁、および上壁と前壁の境界のうちの１箇所に、ロール状に巻かれているラップフィルムから引き出されたラップフィルムの少なくとも左右両端部が通過するスリットが形成されていることを特徴とする容器。
【請求項２】
前壁と上壁が一枚のシート材を折り曲げて形成されていることを特徴とする請求項１の容器。
【請求項３】
上壁が左側壁に隣接する位置から右側壁に隣接する位置まで連続していることを特徴とする請求項２の容器。
【発明の詳細な説明】
【技術分野】
【０００１】
本発明は、ラップフィルムの収容容器に関する。
【背景技術】
【０００２】
図１１に例示するように、ロール状に巻かれているラップフィルムＲを収容しておく容器が提供されており、箱本体１２と蓋１６を備えている。箱本体１２は、背壁２と底壁４と前壁６と左側壁８と右側壁１０を備えている。蓋１６は、背壁２の上縁２ａから伸びており、箱本体１２の上側の開口を塞ぐ位置と塞がない位置の間で開閉可能となっている。蓋１６の前壁の下縁に沿って切断歯１８が固定されている。
使用する際には、ラップフィルムの一端Ｒ１を箱本体１２から引き出しておく。その一端Ｒ１をさらに引き出して使用する。
引き出したラップフィルムを切断する際には、蓋１６で箱本体１２の上側の開口を塞ぐ位置とし、引き出したラップフィルムを切断歯１８に当てて切断する。
ラップフィルムＲを箱本体１２から引き出す際には、蓋１６で箱本体１２の上側の開口を塞がない位置とする。蓋１６は箱本体１２から連続している紙で製造されていることが多く、蓋１６に圧力を加えない限り、紙の復元力によって蓋１６は箱本体１２の上側の開口を塞がない姿勢をとる。
【先行技術文献】
【特許文献】
【０００３】
【特許文献１】特開２００９−１３２４０６号公報
【発明の概要】
【発明が解決しようとする課題】
【０００４】
ラップフィルムは、極めて薄いことと糊成分が塗布されていることから、扱いにくい。一度重なり合うと平坦なシート状の形態に戻すことがひどく厄介である。従来の容器は、落ち着いて操作すれば、きれいに引き出してきれいに切断することができるが、あわてて操作すると、ラップフィルムに皺がよってフィルム同士が重なり合ってしまう事態が生じやすい。
【０００５】
本発明は、あわてて操作しても、あるいは十分な注意力を払わないで操作しても、きれいに引き出してきれいに切断することができ、ラップフィルムが重なり合ってしまう事態が生じにくい容器を提供する。
【課題を解決するための手段】
【０００６】
本発明は、ロール状に巻かれているラップフィルムを収容しておく容器を提供する。この容器は、ロール状に巻かれているラップフィルムを収容する箱本体を備えており、その箱本体は、背壁と底壁と前壁と左側壁と右側壁を備えている。本発明の容器は、ロール状に巻かれているラップフィルムの上面の少なくとの一部を覆う上壁を備えており、ロール状に巻かれているラップフィルムから引き出されたラップフィルムの少なくとも左右両端部が通過するスリットが形成されている。そのスリットは、上壁に形成されていてもよいし、前壁に形成されていてよいし、上壁と前壁の境界に沿って形成されていてもよい。
【０００７】
上記した上壁は蓋とは相違する。蓋は開閉することから、ラップフィルムの上面を常時覆っているわけでない。ここでいう上壁は、蓋の開閉にかかわらず、ロール状に巻かれているラップフィルムの上面の少なくとも一部を常時覆っている壁をいう。なお、上壁は、ロール状に巻かれているラップフィルムの上面の少なくとも一部を常時覆うものであればたり、必ずしも箱本体に固定されている必要はない。上壁は、ロール状に巻かれているラップフィルムの上面の全域を覆う必要はない。ロール状に巻かれているラップフィルムの左右の両端部のみを覆うものであってもよい。また、ラップの引きだし方向における上壁の長さに制約はなく、ごく細いものであってもよい。ラップフィルムの上面に沿ってロール状に巻かれているラップフィルムの軸線方向に伸びている糸ないし紐も、ラップフィルムの上面を覆っている上壁ということができる。
【０００８】
スリットは、スリットを取り囲む壁が連続しているものに限られない。少なくとも引き出されたラップフィルムの左右の両端部が通過する溝状部分が形成されていればよく、スリットの中央部ではスリットを画定する壁が存在しなくてもよい。
【０００９】
上壁を形成する部材は、左側壁または右側壁から伸びていてもよいし、左側壁と右側壁の間を伸びていてもよい。あるいは、箱本体を形成する部材とは別の部材で形成されていてよい。例えば、左側壁と右側壁の間に糸ないし紐を張り渡してもよい。
しかしながら、前壁と上壁が一枚のシート材を折り曲げて形成されていることが好ましい。この場合、上壁を形成するのに余分な資材が必要とされない。通常の箱本体は、前壁の外側面を形成するシート材が前壁の上縁を越えて伸びており、その延長部分を前壁の内側に折り返している。折り返した部分で、前壁の内側面を形成している。その延長部分で上壁を形成するようにすれば、シート材の使用量が増加することもない。
【００１０】
上壁は、左側壁と右側壁の間を伸びていてもよい。あるいは、左側壁から伸びている左上壁と右側壁から伸びている右上壁で形成してもよい。それに代えて、上壁が左側壁に隣接する位置から右側壁に隣接する位置まで連続していてもよい。
【発明の効果】
【００１１】
本発明の収容容器は、ラップフィルムの一端を箱本体から引き出すためのスリットを備えており、そのスリットがラップフィルムの引き出し位置をガイドする。ラップフィルムの一端を、上方に引き出そうが、下方に引き出そうが、手前側に引き出そうが、体から離れる向きに引き出そうが、ラップフィルムの引き出し位置はスリットによって案内されて安定する。ラップフィルムを少々乱暴ないし軽率に引き出しても、ラップフィルムの引き出し位置がスリットによって安定しているために、引き出されたラップフィルに皴がよりにくく、常に皴のない状態で引き出して切断することができる。ラップフィルムの使い勝手が向上し、皴がよってラップフィルム同士が接着してしまった部分を引き剥がすといった面倒が要らなくなる。
【図面の簡単な説明】
【００１２】
【図１】第１実施例の収容容器の斜視図。
【図２】第２実施例の収容容器の斜視図。
【図３】第３実施例の収容容器の斜視図。
【図４】第４実施例の収容容器の斜視図。
【図５】第５実施例の収容容器の斜視図。
【図６】第６実施例の収容容器の斜視図。
【図７】第７実施例の収容容器の斜視図。
【図８】第８実施例の収容容器の斜視図。
【図９】第９実施例の収容容器の斜視図。
【図１０】第１０実施例の収容容器の斜視図。
【図１１】従来の収容容器の斜視図。
【発明を実施するための形態】
【００１３】
以下に説明する実施例の主要な特徴を列記する。
（第１特長）  蓋と背壁と底壁と前壁と上壁と左側壁と右側壁が、一枚の紙を折り曲げて形成されており、前壁と上壁が連続しており、前壁と上壁の境界近傍に境界に沿って伸びるスリットが形成されており、上壁が左側壁に隣接する位置から右側壁に隣接する位置まで連続している。上壁と左側壁は直接的には連続しておらず、上壁と右側壁も直接的には連続しておらず、上壁と背壁も直接的には連続していない。
（第２特長）  ラップフィルムが通過するスリットの左右両端間の距離が、ラップフィルムの幅に等しい。
（第３特長）  ラップフィルムは芯の周りに巻きつけられており、芯の軸線方向の距離がラップフィルムの幅よりも長く、芯の両端部は露出している。スリットの両端部の外側を、露出している芯の軸線方向の距離に等しい幅の紙片が通過しており、その紙片が前壁と上壁を連続させている。
【実施例】
【００１４】
（第１実施例）
第１実施例の容器は、図１に例示するように、箱本体１２と蓋１６を備えている。箱本体１２は、背壁２と底壁４と前壁６と上壁２２と左側壁８と右側壁１０を備えている。蓋１６は、背壁２の上縁２ａから伸びており、箱本体１２の上側の開口を塞ぐ位置と塞がない位置との間で開閉可能となっている。蓋１６の前壁の下縁に沿って切断歯１８が固定されている。箱本体１２と蓋１６は、一枚の連続した紙を折り曲げて形成されている。紙の復元力によって、蓋１６に圧力を加えない限り、蓋１６は箱本体１２の上側の開口を塞がない姿勢をとる。
【００１５】
前壁６と上壁２２は一枚の連続した紙を折り曲げて形成されている。正確に言うと、ロールから引き出されたラップフィルの左右両端の外側に位置する部分２２ａ，２２ｂにおいてのみ前壁６と上壁２２が連続しており、残存部分２２ａ，２２ｂの中間にはスリット２４が形成されている。スリット２４は、前壁６と上壁２２の境界２６に沿って上壁２２に形成された切込みによって形成されている。
ロール状に巻かれているラップフィルムＲは芯の周りに巻きつけられており、芯の軸線方向の距離がラップフィルムの幅よりも長く、芯の両端部は露出している。左側壁８と右側壁１０の距離は、芯の軸線方向の距離に等しい。残存部分２２ａ，２２ｂの幅は、露出している芯の軸線方向の距離に等しい。その結果、スリット２４の幅は、ラップフィルムＲの幅に等しくなっている。
【００１６】
使用する際には、ラップフィルムＲの一端Ｒ１を箱本体１２から引き出しておく。その際に、引き出されたラップフィルムがスリット２４を通過して箱本体１２から引き出されている姿勢で用いる。ラップフィルムの引きだし位置は、スリット２４によって拘束され、図示の上下方向にも左右方向にもずれることがない。
ラップフィルムがスリット２４を通過していると、ラップフィルムＲの一端Ｒ１を上向に引き出そうが、下向きに引き出そうが、左側に向けて引き出そうが、右側に向けて引き出そうが、ラップフィルムＲの引き出し位置はスリット２４によって常時に安定する。少々乱暴に引きだしても、ラップフィルムの引き出し位置がスリット２４によって安定しているために、引き出されたラップフィルムに皴がよりにくく、常に皴のない状態で引き出すことができ、常に皴のない状態で切断歯１８によって切断することができる。
【００１７】
スリット２４の位置は、前壁６と上壁２２の境界２６に接している必要はない。図２に示すように、境界２６から離れた位置の上壁２２側にスリット２４が形成されていてもよいし、図３に示すように、境界２６の上壁２２側と前壁６側に跨ってスリット２４が形成されていてもよいし、図４に示すように、境界２６から離れた位置の前壁６側にスリット２４が形成されていてもよい。なお以下の図面では、図示の明瞭化のために蓋１６の表示を省略する。
【００１８】
上壁２２を、箱本体１２に後付けして形成してもよい。図５に示すように、上壁となる紙片２２ｃを両側壁８，１０に接着してもよいし、図６に示すように、上壁となる紙片２２ｄを両側壁８，１０に接着してもよいし、図７に示すように、上壁となる紙片２２ｅを前壁６に接着してもよい。あるいは、図８と図９に例示するように、糸ないし紐３０を上壁６の上縁６ａに沿って張ることによってスリット２４を形成してもよい。図８と図９では封筒を閉じるための紐を巻きつけて固定する治具３１を利用しているが、糸ないし紐３０を固定する治具はこれに限られない。糸ないし紐３０は、ロール状に巻かれたラップフィルムを上面から押さえてロール状に巻かれたラップフィルムが箱本体１２から飛び出してくるのを防止するものであり、上壁として機能する。
【００１９】
上壁２２は、図１０に例示するように、左上壁２２ｇと右上壁２２ｈに分割されていてもよい。この場合、左上壁２２ｇは左側壁８に連続し、右上壁２２ｈは右側壁１０に連続するようにしてもよい。図示の２２ｊに例示するように、前壁６に接着する部分を設けることにより（２２ｋは前壁６に接着した状態を示している）、左上壁２２ｇと右上壁２２ｈが上方に開かないようにすることがきる。これによっても、スリット２４の左端部２４ａと右端部２４ｂが形成される。左端部２４ａと右端部２４ｂの間では上壁２２がなく、スリット２４が閉じられていないが、巻き戻されたラップフィルムＲ１の左端部がスリットの左端部２４ａを通過し、巻き戻されたラップフィルムＲ１の右端部がスリットの右端部２４ｂを通過する限り、箱本体１２内からのラップフィルの引き出し位置を安定させるというスリットの機能に着目すると、スリット２４が左端部２４ａと右端部２４ｂに分割されていても、左端部２４ａから右端部２４ｂまで連続している仮想的スリットをラップフィルムが通過している場合と同様の現象が得られる。左端部２４ａと右端部２４ｂによって実質的には一つのスリットが形成されているということができる。
【００２０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図壁に説明した技術要素は、単独であるいは各種の組合せによって技術的有用性を発揮するものであり、出願時の請求項に記載の組合せに限定されるものではない。また、本明細書または図壁に例示した技術は複数の目的を同時に達成し得るものであり、そのうちの一つの目的を達成すること自体で技術的有用性を持つものである。
【符号の説明】
【００２１】
Ｒ：ラップフィルム
Ｒ１：ロール状に巻かれたラップフィルムから引き出された端部
２：背壁
２ａ：上縁
４：底壁
６：前壁
６ａ：上縁
８：左側壁
１０：右側壁
１２：箱本体
１６：蓋
１８：切断歯
２２：上壁
２４：スリット
２４ａ：左端部
２４ｂ：右端部
２６：境界
３０：糸
【図１】
2011235919.tif 000003
【図２】
2011235919.tif 000004
【図３】
2011235919.tif 000005
【図４】
2011235919.tif 000006
【図５】
2011235919.tif 000007
【図６】
2011235919.tif 000008
【図７】
2011235919.tif 000009
【図８】
2011235919.tif 000010
【図９】
2011235919.tif 000011
【図１０】
2011235919.tif 000012
【図１１】
2011235919.tif 000013